(57)【要約】【課題】地図やガイド用パンフレットなどと、カードホルダーの両方を携帯してもかさばることがなく、地図やガイド用パンフレットなどを紛失することがないカードホルダーを提供する。【解決手段】カードホルダー１は、２個の横方向折れ線に沿って折られた三つ折りカバーを含み、カバーは、裏カバー部分９Ａと、下側表カバー部分９Ｂと、下側表カバー部分９Ｂの一部に下端がオーバーラップする上側表カバー部分９Ｃとを含み、上側表カバー部分９Ｃの遊端縁に舌状突片を設け、舌状突片を下側表カバー部分９Ｂに設けたスリットに差し込む。裏カバー部分９Ａに、カードキー１６を収納するためのポケット１２が設けられており、カードホルダー１は、シートを折り畳んだ短冊Ｓを収納している。【選択図】図５
0003138130.tif 000002
【実用新案登録請求の範囲】
【請求項１】
裏カバー部分と、下側表カバー部分と、前記下側表カバー部分の一部に下端がオーバーラップする上側表カバー部分とを含み、
前記上側表カバー部分及び下側表カバー部分のうち一方の表カバー部分の遊端縁に舌状突片を設け、前記舌状突片を前記他方の表カバー部分に設けたスリットに差し込み、
前記裏カバー部分に、カード状物体を収納するためのポケットが設けられており、
少なくとも１枚のシートを収納していることを特徴とするカードホルダー。
【請求項２】
請求項１に記載のカードホルダーにおいて、前記カードホルダーは、矩形であり、前記ポケットは、前記矩形の一辺に、前記一辺の全幅に渡って設けられていることを特徴とするカードホルダー。
【請求項３】
裏カバー部分と、下側表カバー部分と、前記下側表カバー部分の一部に下端がオーバーラップする上側表カバー部分とを含み、
前記上側表カバー部分及び下側表カバー部分のうち一方の表カバー部分の遊端縁に舌状突片を設け、前記舌状突片を前記他方の表カバー部分に設けたスリットに差し込み、
前記スリットが設けられた表カバー部分に、カード状物体を収納するためのポケットが設けられており、
少なくとも１枚のシートを収納していることを特徴とするカードホルダー。
【請求項４】
請求項３に記載のカードホルダーにおいて、前記スリットが設けられた表カバー部分は、全体が前記ポケットを構成していることを特徴とするカードホルダー。
【請求項５】
裏カバー部分と、ポケット状に形成された下側表カバー部分と、上側表カバー部分とを含み、
前記上側表カバー部分の下端が前記ポケットに挿入可能であり、かつ前記ポケットにカード状物体が収納可能であり、
少なくとも１枚のシートを収納していることを特徴とするカードホルダー。
【請求項６】
請求項１から５までのいずれかに記載のカードホルダーにおいて、
前記シートを、１個以上の縦方向折れ線に沿って横方向に折り畳んで短冊とし、前記短冊を横方向の折れ線に沿って重なり合うように折り畳み、
前記重なった短冊の裏側折り片を、前記裏カバー部分に貼り付け、
前記重なった短冊の表面を前記下側表カバー部分と、前記上側表カバー部分がカバーすることを特徴とするカードホルダー。
【請求項７】
請求項１から５までのいずれかに記載のカードホルダーにおいて、
前記シートを、横方向に等間隔離れた複数個の縦方向折れ線に沿って横方向にアコーディオン式に折り畳んだ短冊を横方向中心折れ線に沿って上半部分を手前に下半部分に重なり合うよう折り畳み、
前記短冊の最裏側折り片の下半部分を、前記裏カバー部分に貼り付け、
前記裏カバー部分は、前記短冊の半部分の輪郭より僅かに大きい外形輪郭を有し、
前記下側表カバー部分は、前記短冊の上半部分の表面の下方部分をカバーし、
前記上側表カバー部分は、前記下側表カバー部分の一部に下端がオーバーラップして前記短冊の上半部分の上方部分をカバーすることを特徴とするカードホルダー。
【請求項８】
請求項６または７に記載のカードホルダーにおいて、前記シートを最終的に折り畳んだときの大きさが、名刺大の大きさであることを特徴とするカードホルダー。
【請求項９】
請求項１から８までのいずれかに記載のカードホルダーにおいて、前記カード状物体は、カードキーであり、前記ポケットは、前記カードキーを収納することを特徴とするカードホルダー。
【考案の詳細な説明】
【技術分野】
【０００１】
本考案は、カードキーなどのカード状物体を収納するカードホルダーに関するものである。
【背景技術】
【０００２】
カードキーなどのカード状物体を収納するカードホルダーとしては、従来から見開きタイプのものがある。このカードホルダーでは、カードキーを収納するためのポケットが、カードホルダーの内面に設けられており、カードキーを収納または取り出すためには、閉じられているカードホルダーを開く。
【非特許文献１】紙製ポケットフォルダー、［online］、[平成１９年９月２８日検索]、インターネット＜URL:http://www.d5.dion.ne.jp/~itsutsu/pocket.htm＞
【考案の開示】
【考案が解決しようとする課題】
【０００３】
従来の見開きタイプのカードホルダーは、カードキーなどのカード状物体を収容する機能のみであり、他の地図やガイド用パンフレットなどは、カードホルダーとは別に携帯する必要があり、両方を携帯するとかさばるという問題があった。また、地図やガイド用パンフレットのみを紛失しやすいという問題があった。
【０００４】
本考案は、地図やガイド用パンフレットなどと、カードホルダーの両方を携帯してもかさばることがなく、地図やガイド用パンフレットなどを紛失することがないカードホルダーを提供することを目的とする。
【課題を解決するための手段】
【０００５】
本考案は、カードホルダーにおいて、裏カバー部分と、下側表カバー部分と、下側表カバー部分の一部に下端がオーバーラップする上側表カバー部分とを含み、上側表カバー部分及び下側表カバー部分のうち一方の表カバー部分の遊端縁に舌状突片を設け、舌状突片を他方の表カバー部分に設けたスリットに差し込み、裏カバー部分に、カード状物体を収納するためのポケットが設けられており、カードホルダーは、少なくとも１枚のシートを収納していることを特徴とする。
【０００６】
このカードホルダーは、矩形であり、ポケットは、矩形の一辺に、一辺の全幅に渡って設けられていることが好ましい。
また、本考案は、カードホルダーにおいて、裏カバー部分と、下側表カバー部分と、下側表カバー部分の一部に下端がオーバーラップする上側表カバー部分とを含み、上側表カバー部分及び下側表カバー部分のうち一方の表カバー部分の遊端縁に舌状突片を設け、舌状突片を他方の表カバー部分に設けたスリットに差し込み、スリットが設けられた表カバー部分に、カード状物体を収納するためのポケットが設けられており、カードホルダーは、少なくとも１枚のシートを収納していることを特徴とする。
【０００７】
このときに、スリットが設けられた表カバー部分は、全体がポケットを構成していることが好ましい。
さらに、本考案は、カードホルダーにおいて、裏カバー部分と、ポケット状に形成された下側表カバー部分と、上側表カバー部分とを含み、上側表カバー部分の下端がポケットに挿入可能であり、かつポケットにカード状物体が収納可能であり、カードホルダーは、少なくとも１枚のシートを収納していることを特徴とする。
【０００８】
なお、カードホルダーにおいて、シートを、１個以上の縦方向折れ線に沿って横方向に折り畳んで短冊とし、短冊を横方向の折れ線に沿って重なり合うように折り畳み、重なった短冊の裏側折り片を、裏カバー部分に貼り付け、重なった短冊の表面を下側表カバー部分と、上側表カバー部分がカバーすることとしてもよい。
【０００９】
さらに、カードホルダーにおいて、シートを、横方向に等間隔離れた複数個の縦方向折れ線に沿って横方向にアコーディオン式に折り畳んだ短冊を横方向中心折れ線に沿って上半部分を手前に下半部分に重なり合うよう折り畳み、短冊の最裏側折り片の下半部分を、裏カバー部分に貼り付け、裏カバー部分は、短冊の半部分の輪郭より僅かに大きい外形輪郭を有し、下側表カバー部分は、短冊の上半部分の表面の下方部分をカバーし、上側表カバー部分は、下側表カバー部分の一部に下端がオーバーラップして短冊の上半部分の上方部分をカバーすることができる。
【００１０】
また、カードホルダーにおいて、シートを最終的に折り畳んだときの大きさが、名刺大の大きさであることが好ましい。
カード状物体は、たとえばカードキーであり、ポケットは、カードキーを収納することができる。
【考案の効果】
【００１１】
本考案のカードホルダーによれば、地図やガイド用パンフレットなどと、カードホルダーの両方を別々に携帯することがないため、かさばることがない。また、カードキーと常に一緒に携帯されるため、カードキーに注意を払う結果として、地図やガイド用パンフレットなどを紛失することがないという利点がある。
【考案を実施するための最良の形態】
【００１２】
次に添付図面を参照して本考案によるカードホルダーの実施例を詳細に説明する。図１、２を参照すると、本考案によるカードホルダー１の第１の実施例は、２個の横方向折れ線７、８に沿って折られた三つ折りカバーを含み、カバーは、裏カバー部分９Ａと、下側表カバー部分９Ｂと、下側表カバー部分９Ｂの一部に下端がオーバーラップする上側表カバー部分９Ｃとを含む。上側表カバー部分９Ｃの遊端縁の中央部に舌状突片１０を設け、舌状突片１０を、下側表カバー部分９Ｂに設けたスリット１１に差し込む。
【００１３】
なお、本考案においては、表、裏、及び上、下は、便宜的に規定するものであり、本考案の実施例とは、逆に表、裏、及び上、下を規定してもよい。
舌状突片１０を、下側カバー部分９Ｂに設けたスリット１１に差し込んで、カバーを閉じた状態を維持できるようにする。この差し込んで閉じた状態を図２に示す。図１はカバーを開いた状態である。図１、２は、表側から見た図である。
【００１４】
裏カバー部分９Ａに、カード状物体、たとえば、ドアのカギを開閉するためのカードキーを収納するためのポケット１２が、図３に示すように設けられている。
ポケットには、カードキーの代わりに、カード状物体、たとえば名刺、メディアカード(たとえば、記憶媒体)等を収納することができる。
【００１５】
カードホルダーは、１枚のシート２を収納している。シート２は、たとえば、カードホルダーの使用者が宿泊しているホテルまたは、特定の観光地、駅などの周辺地図、または観光ガイド用パンフレット等であり、シート状であればよく、特定のシートに限らない。
【００１６】
シートに、種々のイベント、キャンペーンのマップ又はスケジュールを印刷し、カバーにスポンサーの広告を印刷し、リーフレットがしわになるのを保護しつつ、紙マッチのようにコンパクトに畳んで、カードホルダー１をポケットやバッグに入れておくこともできる。
【００１７】
本実施例のカードホルダー１は、折り畳み式リーフレット収納型カードホルダーであり、コンパクトメディアカードホルダーと呼ぶこともできる。カバー付きアコーディオン式折り畳みリーフレット兼用カードホルダーと呼ぶこともできる。カードホルダー１は、最終的に折り畳んだ状態が、例えば、名刺大の大きさになる。
【００１８】
カードホルダー１は、図３に明確に示すように、矩形であり、ポケット１２は、矩形の一辺１４、本実施例では短辺１４に、一辺１４の全幅に渡って設けられている。なお、ポケット１２は、一辺１４の全幅に渡って設けなくてもよく、一辺１４の一部に設けてもよい。
【００１９】
図３では、ポケット１２にカードキー１６が収納されており、図４では、ポケット１２にカードキー１６が収納されていない。なお、カードホルダー１の形状は、矩形に限定されず、円形、楕円形、多角形、商品の形状、その他の形状が可能である。図５は、カードホルダー１を裏から見た斜視図である
カードホルダー１では、図１に示すように、シート２を、横方向に等間隔離れた複数個の縦方向折れ線３に沿って横方向にアコーディオン式に折り畳んだ短冊Ｓを横方向中心折れ線４に沿って上半部分５を手前に下半部分６に重なり合うよう折り畳む。短冊Ｓの最裏側折り片の下半部分を、裏カバー部分９Ａに貼り付ける。裏カバー部分９Ａは、短冊Ｓの半部分の輪郭より僅かに大きい外形輪郭を有する。下側表カバー部分９Ｂは、短冊Ｓの上半部分の表面の下方部分をカバーし、上側表カバー部分９Ｃは、下側表カバー部分９Ｂの一部に下端がオーバーラップして短冊Ｓの上半部分の上方部分をカバーする。
【００２０】
次にカードホルダー１００の第２の実施例を図６、７により説明する。以下の説明では、第１の実施例と同様の部分には、同一の参照符号を付し、その説明は省略する。本実施例のカードホルダー１００は、第１の実施例のカードホルダー１とは、ポケット１８の方向が異なる点以外は、第１の実施例のカードホルダー１と同様である。ポケット１８は、矩形の一辺２０、すなわち長辺２０に、一辺２０の全幅に渡って設けられている。図６は、ポケット１８にカードキー１６が収納されており、図７では、ポケット１８にカードキー１６が収納されていない。
【００２１】
次にカードホルダー２００の第３の実施例を図８、９、１０により説明する。図８は、カードホルダー２００を裏側から見た背面図であり、第１、第２の実施例と異なり、裏カバー部分９Ａにポケットは設けられていない。図９、１０は、表側から見た斜視図である。図１０では、ポケット２２にカードキー１６が収納されており、図９では、ポケット２２にカードキー１６が収納されていない。なお、表側カバーが閉じられたときに、カードホルダー２００を表側から見たときの状態は、図２と同様である。
【００２２】
カードホルダー２００は、２個の横方向折れ線に沿う三つ折りカバーを含み、カバーは、裏カバー部分９Ａと、下側表カバー部分９Ｄと、下側表カバー部分９Ｄの一部に下端がオーバーラップする上側表カバー部分９Ｃとを含む。上側表カバー部分９Ｃの遊端縁に舌状突片１０を設け、舌状突片１０を下側表カバー部分９Ｄに設けたスリット１１に差し込む。
【００２３】
スリット１１が設けられた下側表カバー部分９Ｄに、カードキー１６を収納するためのポケットが設けられている。スリット１１が設けられた下側表カバー部分９Ｄは、その全体によりポケット２２を構成している。すなわち、下側表カバー部分９Ｄを構成する３片２４、２６、２８により、ポケット２２が構成されている。特に、スリット１１は、片２６に設けられている。片２４、２８の向かい合った端部２４Ａ、２８Ａは、互いから切り離されている。
【００２４】
なお、ポケット２２は、下側表カバー部分９Ｄの一部により構成されてもよい。たとえば、片２４、２８の一部を片２６と接着しておき、片２４、２８の残りの部分によりポケット２２を構成することとしてもよい。
【００２５】
次にカードホルダー３００の第４の実施例を図１１、１２、１３により説明する。本実施例のカードホルダー３００は、２個の横方向折れ線に沿う三つ折りカバーを含み、カバーは、裏カバー部分９Ａと、ポケット状に形成された下側表カバー部分９Ｅと、上側表カバー部分９Ｆとを含み、上側表カバー部分９Ｆの下端がポケット３０に挿入可能である。ポケット３０にはカードキー１６も収納可能である。すなわち、ポケット３０に、上側表カバー部分９Ｆの下端と、カードキー１６が収納される。
【００２６】
図１１、１２は、カードホルダー３００を表側から見た正面図である。図１１では、ポケット３０にカードキー１６が収納されており、図１２では、ポケット３０にカードキー１６が収納されていない。第１、第２の実施例と異なり、裏カバー部分９Ａにポケットは設けられていない。図１３は、表側から見た斜視図である。なお、カードホルダー３００を裏側から見たときの状態は、図８と同様である。
【００２７】
下側表カバー部分９Ｅに、カードキー１６を収納するためのポケット３０が設けられている。下側表カバー部分９Ｅには、第３の実施例と異なり、スリットは設けられていない。下側表カバー部分９Ｄは、その全体によりポケット３０を構成している。すなわち、下側表カバー部分９Ｅを構成する３片２４、２８、３２により、ポケット３０が構成されている。
【００２８】
本考案では、上側表カバー部分、下側表カバー部分、裏カバー部分は、紙製、プラスチック製、薄い金属製、または、これらの組合せとすることができる。
第３、第４の実施例において、片２４、２８の向かい合った端部２４Ａ、２８Ａは切り離されているが、片２４、２８を切り離さずに、一体のものとしてもよい。このときは、片２４、２６、２８により、および片２４、３２、２８により、円筒をつぶした形状のポケットが形成され、ここにカードキー等が収納される。
【００２９】
これらの実施例によれば、地図やガイド用パンフレットなどと、カードホルダーの両方を別々に携帯することがないため、かさばることがない。また、地図やガイド用パンフレットなどが、カードキーと常に一緒に携帯されるため、カードキーに注意を払う結果として、地図やガイド用パンフレットなどを紛失することがないという利点がある。
【図面の簡単な説明】
【００３０】
【図１】本考案によるカードホルダーの第１の実施例の展開斜視図である。
【図２】図１のリーフレットを畳んで、カバーを閉じた状態を示す斜視図である。
【図３】カードキーを収納しているときの図１のカードホルダーを裏側から見た背面図である。
【図４】カードキーを収納していないときの図１のカードホルダーを裏側から見た背面図である。
【図５】カードホルダー１を裏から見た背面図である。
【図６】本考案によるカードホルダーの第２の実施例であり、カードキーを収納しているときのカードホルダーを裏側から見た背面図である。
【図７】カードキーを収納していないときの図７のカードホルダーを裏側から見た背面図である。
【図８】本考案によるカードホルダーの第３の実施例のカードホルダー２００を裏側から見た背面図である。
【図９】第３の実施例のカードホルダーを表側から見た斜視図である。
【図１０】第３の実施例のカードホルダーを表側から見た斜視図である。
【図１１】本考案によるカードホルダーの第４の実施例のカードホルダーを表側から見た正面図である。
【図１２】本考案によるカードホルダーの第４の実施例のカードホルダーを表側から見た正面図である。
【図１３】第４の実施例のカードホルダーを表側から見た斜視図である。
【符号の説明】
【００３１】
１、１００、２００、３００  カードホルダー
２  シート
３  縦方向折れ線
４  横方向中心折れ線（シート）
５  上半部分
６  下半部分
７  横方向折れ線（カバー）
８  横方向折れ線（カバー）
９Ａ  裏カバー部分
９Ｂ  下側表カバー部分
９Ｃ  上側表カバー部分
１０  舌状突片
１１  スリット
１２、１８、２２、３０  ポケット
１６  カードキー
２４、２６、２８、３２  片
【図１】
0003138130.tif 000003
【図２】
0003138130.tif 000004
【図３】
0003138130.tif 000005
【図４】
0003138130.tif 000006
【図５】
0003138130.tif 000007
【図６】
0003138130.tif 000008
【図７】
0003138130.tif 000009
【図８】
0003138130.tif 000010
【図９】
0003138130.tif 000011
【図１０】
0003138130.tif 000012
【図１１】
0003138130.tif 000013
【図１２】
0003138130.tif 000014
【図１３】
0003138130.tif 000015